(57)【要約】  本発明は、移動体端末に、友人ユーザのリストを確立および維持させ、友人ユーザの接続状態をタイムリーに更新させることができる、ピアツーピアインスタントメッセージングの方法およびその移動体端末を提案する。ピアツーピアインスタントメッセージングの方法は、無線ネットワークにより送られた、ピアツーピアインスタントメッセージングの能力を有するオンラインユーザのリストを受信するステップ（Ｓ２６０）と、前記特定ユーザのリストを、前記受信されたオンラインユーザのリストと比較するステップ（Ｓ２７０）と、前記特定ユーザのリスト内の各ユーザの接続状態記録を、前記比較結果に従って更新するステップ（Ｓ２８０）と、を含み、これにより、移動体端末が、前記更新された接続状態記録に従って、前記特定ユーザのリスト内の少なくとも１つのユーザ移動体端末とのピアツーピアインスタントメッセージングを確立できる。本発明は、ユーザがより効率的にピアツーピア接続を確立し、より少ないネットワークリソースを占有しつつインスタントメッセージングを行うことを可能にする。
2008526150.tif 000002
【特許請求の範囲】
【請求項１】
少なくとも１つの特定ユーザのリストを含む、事前記憶されたコンタクトリストを備える移動体端末のためのピアツーピアインスタントメッセージングの方法であって、
（ａ）無線ネットワークにより送られた、ピアツーピアインスタントメッセージングの能力を有するオンラインユーザのリストを受信するステップと、
（ｂ）前記特定ユーザのリストを、前記受信されたオンラインユーザのリストと比較するステップと、
（ｃ）前記特定ユーザのリスト内の各ユーザの接続状態記録を、前記比較結果に従って更新し、前記移動体端末に、前記更新された接続状態記録に従って、前記特定ユーザのリスト内の少なくとも１つのユーザ移動体端末とのピアツーピアインスタントメッセージングを確立させるステップと、
を備えることを特徴とする方法。
【請求項２】
ステップ（ａ）における前記オンラインユーザのリストは、前記無線ネットワークによるセルブロードキャストを通じて送信される、ことを特徴とする請求項１に記載のピアツーピアインスタントメッセージングの方法。
【請求項３】
ステップ（ｃ）は、前記特定ユーザのリストの、前記オンラインユーザのリストと重なる部分のユーザ接続状態記録を、オンラインへと更新するステップを備える、ことを特徴とする請求項１に記載のピアツーピアインスタントメッセージングの方法。
【請求項４】
ステップ（ｃ）は、前記コンタクトリストの、前記オンラインユーザのリストと重ならない部分のユーザ接続状態記録を、オフラインへと更新するステップを備える、ことを特徴とする請求項１に記載のピアツーピアインスタントメッセージングの方法。
【請求項５】
前記特定ユーザのリストは、前記コンタクトリストである、ことを特徴とする請求項１に記載のピアツーピアインスタントメッセージングの方法。
【請求項６】
少なくとも１つの特定ユーザのリストを含む、事前記憶されたコンタクトリストを備える移動体端末のためのピアツーピアインスタントメッセージングの方法であって、
（ａ）他の移動体端末に対して、ピアツーピアインスタントメッセージングの能力を報告するステップと、
（ｂ）前記他の移動体端末によってそれぞれ送られた識別情報フィードバックを受信するステップと、
（ｃ）前記特定ユーザのリストを、前記受信された識別情報フィードバックと比較するステップと、
（ｄ）前記特定ユーザのリスト内の各ユーザの接続状態記録を、前記比較結果に従って更新し、前記移動体端末に、前記更新された接続状態記録に従って、前記特定ユーザのリスト内の少なくとも１つのユーザ移動体端末とのピアツーピアインスタントメッセージングを確立させる、ステップと、
を備えることを特徴とする方法。
【請求項７】
ピアツーピアインスタントメッセージングのための移動体端末であって、
無線ネットワークによって送信された、ピアツーピアインスタントメッセージングの能力を有するオンラインユーザのリストを受信するための受信手段と、
少なくとも１つの特定ユーザのリストを備えるコンタクトリストを記憶するためのユーザリスト記録手段と、
前記特定ユーザのリスト内の各ユーザの接続状態を記録するための状態記録手段と、
前記受信されたオンラインユーザのリストを、前記特定ユーザのリストと比較するためのコントローラと、
を備えることを特徴とする移動体端末。
【請求項８】
ユーザインターフェイスを表示するための表示手段をさらに備え、前記ユーザインターフェイスは、
情報を入力するための情報入力ウィンドウと、
前記入力情報を表示するための情報表示ウィンドウと、
前記特定ユーザのリストにおいて前記移動体端末とピアツーピア接続を確立可能なオンラインユーザのリストを表示するためのオンラインユーザリスト表示ウィンドウと、
を備えることを特徴とする請求項７に記載の移動体端末。
【請求項９】
前記ユーザインターフェイスは、前記コンタクトリストにおけるオフラインユーザのリストを表示するためのオフラインユーザリスト表示ウィンドウをさらに備える、ことを特徴とする請求項８に記載の移動体端末。
【請求項１０】
ユーザインターフェイスを表示するための表示手段をさらに備え、前記ユーザインターフェイスは、
情報を入力するための情報入力ウィンドウと、
前記入力情報を表示するための第１の情報表示ウィンドウと、
他の移動体端末によって送られた情報を表示するための第２の情報表示ウィンドウと、
を備えることを特徴とする請求項７に記載の移動体端末。
【請求項１１】
前記第１の情報表示ウィンドウおよび前記第２の情報表示ウィンドウは、前記移動体端末および前記他の移動体端末の識別情報をそれぞれ表示するために、さらに使用される、ことを特徴とする請求項１０に記載の移動体端末。
【請求項１２】
前記コンタクトリストは、各ユーザの個人情報と、各ユーザ移動体端末の識別情報とを含む、ことを特徴とする請求項７に記載の移動体端末。
【請求項１３】
前記コントローラは、前記比較結果に従って前記コンタクトリスト内の各ユーザの接続状態を更新するために使用される、ことを特徴とする請求項７に記載の移動体端末。
【発明の詳細な説明】
【技術分野】
【０００１】
本発明は、インスタントメッセージング（ＩＭ）に関し、より詳しくは、無線ネットワークにおけるピアツーピア（Ｐ２Ｐ）インスタントメッセージングのための方法および装置に関する。
【背景技術】
【０００２】
インスタントメッセージングシステムは、ネットワーク内のユーザが、言葉または他の情報によってリアルタイムでチャットまたは情報伝達できるようにするために使用され、ネットワークは、インターネット、またはＧＳＭ、ＣＤＭＡ等の他の移動体無線ネットワークとすることができる。一方、インスタントメッセージングシステムは、それぞれのオンラインユーザに、そのコンタクトリスト上のユーザのオンライン／オフライン状態を、タイムリーに知らせることができる。
【０００３】
従来のインスタントメッセージングシステムは、クライアント／サーバ構造モードを使用しており、一方、前記ピアツーピア通信モードでは、リアルタイムチャッティングまたは情報伝達を、２つ以上の移動体端末間で、基地局を必要とせずに直接行うことができる。２つの移動体端末間でピアツーピアインスタントメッセージングを確立するためのものとして、米国特許公開第２００３／０１８２４２８Ａ１号公報（発明者は、ジャン  リー（Jiang Li）、ケマン  ユー（Keman Yu）、カイボ  ワン（Kaibo Wang）、ヨン  リー（Yong Li）およびシペン  リー（Shipeng Li）である）は、関連する方法を開示している。前記方法によると、まず、クライアント端末が、ＩＭサーバに接続される。クライアント端末は、そのデバイスアドレスおよびアクセスコードを、ＩＭサーバに送信する。クライアント端末は、ＩＭサーバ内の他のオンラインのクライアント端末を検索する。クライアント端末は、ＩＭサーバから送信された他のオンラインのクライアント端末の情報を受信する。クライアント端末は、他のクライアント端末の情報を分析し、これらの端末が同一のネットワーク内にあるかどうかを決定する。もし、そうであれば、ピアツーピア接続が確立される。クライアント端末は、情報を、相手のクライアント端末に送信し、ピアツーピア通信を開始する。前記方法によって、ピアツーピアインスタントメッセージングを、２つのクライアント端末の間で確立することができる。ＴＤＤ（Time Division Duplex）モードにあるＴＤ−ＳＣＤＭＡシステムは、ＦＤＤ（Frequency Division Duplex）システムで必要とされるような、アップおよびダウンの対称周波数スペクトルを用いずに、同一の搬送波でアップリンクおよびダウンリンク送信を行うことができるため、ピアツーピア通信に適したＣＤＭＡシステムとなる。
【０００４】
前記先行技術の問題は、ピアツーピアインスタントメッセージングの前提下では、移動体端末のユーザは、この移動体端末とピアツーピア接続を確立することができる他の移動体端末のみと、インスタントメッセージングを行うことができることであり、一方、移動体端末のユーザは、通常、コンタクトリスト上の全てのユーザとではなく、数人の固定された特定ユーザ（友人またはビジネスパートナ、顧客など）のみと、オンラインインスタントメッセージングを行う。従って、ユーザは、これらの特定ユーザのリストを、移動体端末内に維持する必要がある。加えて、ユーザが、これらの特定ユーザとの通信を確立したい場合、このユーザは、これらのユーザがオンラインであり、ピアツーピア通信を確立するための要求を満たすことができるかどうかを知る必要があり、すなわちユーザは、タイムリーに更新されたこれら特定ユーザの接続状態情報を必要とする。しかし、前記先行技術が実際に利用されている間は、前記特定ユーザのリストおよび接続状態情報は、通常、ネットワークによって維持および管理されることとなり、これは、移動体端末のリソースよりも貴重なネットワークリソースを占有してしまう。したがって、ネットワーク負荷が重すぎるものとなるであろう。
【０００５】
従って、ユーザがより効率的にネットワークリソースを使用し、より少ないネットワークリソースを占有することを可能にする、ピアツーピアインスタントメッセージングのための方法および装置を提供する必要性が存在する。
【発明の目的及び概要】
【０００６】
本発明の目的は、移動体端末に、特定ユーザのリストを確立および記憶させることができ、これら特定ユーザの接続状態情報をタイムリーに更新することができる、無線ネットワークにおけるピアツーピアインスタントメッセージングの方法を提供することである。
【０００７】
本発明の他の目的は、ピアツーピアインスタントメッセージングを行うことができる、移動体端末を提供し、移動体端末に、特定ユーザのリストを確立および記憶させ、これらの特定ユーザの接続状態情報をタイムリーに更新し、これにより、移動体端末が、更新された接続状態情報に従って、これらの特定ユーザとピアツーピアインスタントメッセージングを確立することができるようにすることである。
【０００８】
本発明によると、少なくとも１つの特定ユーザのリストを含む、事前記憶されたコンタクトリストを備える移動体端末のために使用されるピアツーピアインスタントメッセージングの方法が提供され、前記方法は、無線ネットワークにより送られた、ピアツーピアインスタントメッセージングの能力を有するオンラインユーザのリストを受信するステップと、前記特定ユーザのリストを、前記受信されたオンラインユーザのリストと比較するステップと、前記特定ユーザのリスト内の各ユーザの接続状態記録を、前記比較結果に従って更新し、移動体端末に、前記更新された接続状態記録に従って、前記特定ユーザのリスト内の少なくとも１つのユーザ移動体端末とのピアツーピアインスタントメッセージングを確立させるステップと、を備える。
【０００９】
本発明によると、少なくとも１つの特定ユーザのリストを含む、事前記憶されたコンタクトリストを備える移動体端末のために使用されるピアツーピアインスタントメッセージングの方法が提供され、前記方法は、他の移動体端末に対して、ピアツーピアインスタントメッセージングの能力を報告するステップと、前記他の移動体端末によってそれぞれ送られた識別情報フィードバックを受信するステップと、前記特定ユーザのリストを、前記受信された識別情報フィードバックと比較するステップと、前記特定ユーザのリスト内の各ユーザの接続状態記録を、前記比較結果に従って更新し、前記移動体端末に、前記更新された接続状態記録に従って、前記特定ユーザのリスト内の少なくとも１つのユーザ移動体端末とのピアツーピアインスタントメッセージングを確立させる、ステップと、を備える。
【００１０】
本発明によると、ピアツーピアインスタントメッセージングを行うことができる移動体端末が提供され、移動体端末は、無線ネットワークによって送信された、ピアツーピアインスタントメッセージングの能力を有するオンラインユーザのリストを受信するための受信手段と、少なくとも１つの特定ユーザのリストを備えるコンタクトリストを記憶するためのユーザリスト記録手段と、前記特定ユーザのリスト内の各ユーザの接続状態を記録するための状態記録手段と、前記受信されたオンラインユーザのリストを、前記特定ユーザのリストと比較するためのコントローラと、を備える。
【００１１】
要約すると、本発明は、ピアツーピアインスタントメッセージングの方法および移動体端末を提供し、前記移動体端末は、特定ユーザのリストおよびその接続状態を記憶することができるユーザリスト記録手段およびユーザ状態記録手段を備える。ユーザが、移動体端末をオンにし、無線ネットワークに登録すると、無線ネットワークは、オンラインの移動体ユーザのリストを、前記移動体端末に送り、移動体端末は、比較の後、オンラインコンタクトリストを得ることができ、ユーザは、前記リストに従って、接続の要求を送ることができ、これにより、ユーザは、より効率的にピアツーピア接続を確立することができ、より少ないネットワークリソースを占有しつつ、インスタントメッセージングを行うことができる。
【００１２】
本発明の完全な理解に伴う、他の目的および達成は、添付の図面と併せて以下の説明および添付の特許請求の範囲を参照することによって明らかとなり、理解されるであろう。
【発明の詳細説明】
【００１３】
図１は、本発明の一実施形態に係るピアツーピアインスタントメッセージングシステムの適用環境の概略図である。移動体端末ＵＥ  Ａ、ＵＥ  ＢおよびＵＥ  Ｃは、基地局またはノードＢに、ワイヤレスに接続することができ、ノードＢは、無線ネットワークコントローラ（ＲＮＣ）５を介してコアネットワーク６に接続され、ユーザ端末ＵＥ  Ａ、ＵＥ  ＢおよびＵＥ  Ｃは、基地局トランシーバ（ノードＢ）および無線ネットワークコントローラ５によって形成されたＵＭＴＳ地上波無線アクセスネットワーク（ＵＴＲＡＮ：UMTS terrestrial radio access network）を通して、情報を交換する。
【００１４】
ユーザ端末ＵＥ  Ａが、ユーザ端末ＵＥ  Ｂとピアツーピア通信を確立したい場合、ピアツーピア通信を要求するコールをしているユーザ端末ＵＥ  Ａは、まず、アップリンク制御チャンネルを通して、ピアツーピアコーリング要求をＵＴＲＡＮに送信する。ここで、２００３年３月７日にフィリップスエレクトロニクス（Koninklijke Philips Electronics N. V.）によって中国特許庁に出願された、出願番号第０３１１９８９５．３号の“無線通信ネットワークにおいてピアツーピア通信の無線リンクを確立および維持するための方法および装置（Method and apparatus for establishing and maintaining radio link of peer-to-peer communication in radio communication network）”と題された発明において、ピアツープア通信無線リンクを確立および維持する方法が詳細に説明されており、前記出願の開示は、本出願に組み込まれる。
【００１５】
図２は、本発明の一実施形態に係るピアツーピアインスタントメッセージング移動体端末の機能のブロック概略図である。移動体端末１は、コントローラ１１と、無線周波数モジュール１２と、ユーザリスト記録手段１３と、記憶手段１４と、状態記録手段１５と、アンテナ１６とを備える。コントローラ１１は、データ処理および記憶のために使用され、その主な機能は、ベースバンド符号化／復号、音声符号化およびスピーチ符号化等である。本実施形態において、前記コントローラ１１は、受信されたオンラインユーザのリストを、ユーザリスト記録手段内の特定ユーザのリストと比較し、前記状態記録手段内の接続状態記録を、前記比較結果に従って更新するためにも使用される。無線周波数モジュール１２は、高周波信号を受信および送信するために使用され、アンテナ１６に接続されたトランスポンダとレシーバ（図示せず）とを備え、前記無線周波数モジュール１２は、アンテナ１６と共に、無線ネットワークによって送信されるピアツーピアインスタントメッセージングの能力を有するオンラインユーザのリストを受信するための受信手段を形成する。ユーザリスト記録手段１３は、少なくとも１つの特定ユーザのリストを備えるコンタクトリストを記憶するために使用され、ここで、移動体端末１に記憶されたコンタクトリストから、友人またはビジネスパートナなどのいわゆる特定ユーザが、移動体端末１のユーザによって事前選択されている。前記特定ユーザのリストは、名前、性別、住所および職業等のユーザの個人情報、ならびに国際携帯端末加入者ＩＤ（ＩＭＳＩ：international mobile subscriber identity）、臨時携帯端末加入者ＩＤ（ＴＭＳＩ：temporary mobile subscriber identity）、局所携帯端末加入者ＩＤ（ＬＭＳＩ：local mobile subscriber identity）、国際携帯装置ＩＤ（ＩＭＥＩ：international mobile equipment identity）、ピアツーピア通信の識別コードなどの、友人ユーザの移動体端末識別情報を含む。状態記録手段１５は、前記特定ユーザのリスト内の各ユーザの接続状態およびリソース状態を記憶するために使用され、例えば、接続状態は、オンライン、オフライン、ビジー、休止などの、各ユーザの異なる状態を反映し、リソース状態は、各ユーザのデータ転送レート、利用可能な機能モジュールおよびメモリ等を反映する。本発明の実施形態によると、状態記録手段１５は、また、コンタクトリスト内の各ユーザの接続状態およびリソース状態を記憶するためにも使用することができる。説明の簡潔さのために、図２は、本発明に関連する機能モジュールのみを図示しており、他の機能モジュールは、ここでは図示されない。
【００１６】
図３は、本発明の一実施形態に係るピアツーピアインスタントメッセージングの方法におけるユーザ状態の更新のフローチャートであり、フローチャートは、以下のステップを含んでいる。ＵＥ  Ａがオンにされ（ステップＳ２１０）、ＵＥ  ＡがＵＴＲＡＮに登録され（ステップＳ２２０）、ＵＥ  Ａが自身のピアツーピアインスタントメッセージングの能力をＵＴＲＡＮに報告し（ステップＳ２３０）、ＵＴＲＡＮが受信し、前記ＵＥ  Ａがピアツーピアインスタントメッセージングの能力を有するかを決定し（ステップＳ２４０）、有する場合、ＵＴＲＡＮは、ＵＥ  Ａをオンラインユーザのリストに加え（ステップＳ２５０）、ＵＴＲＡＮは、ＵＥ  Ａと、ＵＥ  Ｂなどの他の移動体端末とに、ＵＥ  Ａとピアツーピア接続を確立可能なオンラインの移動体ユーザ（ＵＥ  Ａを含む）のリストを送信し（ステップＳ２６０）、前記リスト上のユーザ移動体端末と、移動体端末Ａとの間の距離が、ピアツーピア通信の要件を満たし（または、ＵＴＲＡＮは、各移動体端末の位置情報をＵＥ  Ａに送信することができ、次いでＵＥ  Ａは、前記位置情報に従って、前記移動体端末が、ピアツーピア接続を確立できる範囲内にあるかを計算し）、ここで、前記ＵＴＲＡＮは、ブロードキャストによってオンラインユーザのリストを送信して、これにより、他の移動体端末（ＵＥ  Ｂなど）も、オンラインユーザのリストを受信して接続状態を更新できるようにする。
【００１７】
ＵＥ  Ａが、オンラインユーザの前記リストを受信した後、コントローラは、ＵＥ  Ａに記憶されている特定ユーザのリストと、受信されたオンラインユーザのリストとを１つずつ比較し、前記ＵＥ  Ａの特定ユーザのリストが、受信されたオンラインユーザのリストに存在するかどうかを確認する（ステップＳ２７０）。同様に、他の移動体端末（ＵＥ  Ｂなど）も、ステップＳ２７０を行う。比較される内容は、各ユーザのピアツーピア通信識別コードとすることができ、前記識別コードは、ピアツーピア通信の能力を有する各ユーザによるネットワークから得られる固定の同一性認識情報か、または特定の時間内に有効であるユーザの一時的な同一性認識情報のいずれかとすることができる。ステップＳ２７０のために、コントローラは、ＵＥ  Ａに記憶されたコンタクトリストと、受信されたオンラインユーザのリストとを１つずつ比較して、前記ＵＥ  Ａのコンタクトリストが、受信されたオンラインユーザのリストに存在するかを確認することもできる。
【００１８】
移動体端末ＵＥ  Ａは、前記比較結果に応じて、状態記録手段内の各特定ユーザの接続状態記録を更新し、すなわち、ユーザリスト記録手段内の特定ユーザのリストの、前記受信されたオンラインユーザのリストと重なる部分のユーザ状態を、オンラインとして更新し（ステップＳ２８０）、ユーザリスト記録手段内の特定ユーザのリストの、前記受信されたオンラインユーザのリストと重ならない部分のユーザ状態を、オフラインとして更新する（ステップＳ２９０）。
【００１９】
本発明のユーザ状態の更新のフローの他の実施形態によると、移動体端末ＵＥ  Ａは、自身のピアツーピアインスタントメッセージングの能力を、周囲の移動体端末（ＵＥ  Ｂなど）に直接報告することもでき、移動体端末ＵＥ  Ｂは、前記報告を受信し、次いで識別情報フィードバックを、前記移動体端末ＵＥ  Ａに送り、移動体端末ＵＥ  Ａは、受信した他の移動体端末の識別情報フィードバックを、ユーザリスト記録手段内の特定ユーザのリストと比較し、移動体端末ＵＥ  Ａは、自身の状態記録手段内の友人接続状態記録を、比較結果に従い更新し、最後に、移動体端末ＵＥ  Ａは、友人接続状態記録に従って、ＵＥ  Ｂなどの友人ユーザの１人とピアツーピア接続を確立し、インスタントメッセージングを開始することができる。
【００２０】
ユーザが、ピアツーピアインスタントメッセージングの処理中である場合、各移動体端末は、２つの状態、すなわち、相手の移動体端末に情報を送っている状態と、相手の移動体端末からの応答を待っている状態と、を含む。移動体端末が、相手の移動体端末からの応答を待っている状態にある場合、前記移動体端末は、基地局および移動体端末の送信電力を維持および調整するための送信電力制御（ＴＰＣ：transmission power control）、動的チャンネル割り当て（ＤＣＡ：dynamic channel allocation）、同期シフト（ＳＳ：synchronization shift）など、ピアツーピアインスタントメッセージング接続の維持に必要な信号のみを送る。他方で、相手の移動体端末からの応答を待っている状態にある場合、他の移動体端末の信号への干渉を減少させるために、必要な信号のみを送る必要がある。
【００２１】
図４は、本発明の一実施形態に係るピアツーピアインスタントメッセージングの方法におけるピアツーピア接続の確立のフローチャートであり、フローチャートは、以下のステップを含んでいる。
【００２２】
最初に、ＵＥ  Ａが、インスタントメッセージングの要求をＵＥ  Ｂに送り（ステップＤ３１０）、前記ステップは、特許出願第０３１１９８９５．３号に詳細に説明されており、よって前記発明の内容は、参考することによりここに挿入される。ＵＥ  Ａは、ピアツーピアリンク要求を、アップリンク制御チャンネルを介してＵＴＲＡＮに送り、ＵＴＲＡＮは、前記ピアツーピアリンク要求を受信後、移動体端末ＵＥ  Ｂに、ページングチャンネルを介してページング情報を送信して、移動体端末ＵＥ  ＡがＵＥ  Ｂとのピアツーピア通信の実行を望んでいることを通知し、ＵＴＲＡＮは、ピアツーピア通信に関連するチャンネルリソースを、ダウンリンク制御チャンネルを通して移動体端末ＵＥ  ＡおよびＵＥ  Ｂに割り当て、移動体端末ＵＥ  ＡおよびＵＥ  Ｂは、前記割り当てチャンネルリソースを得た後に、それぞれ、対応するピアツーピアリソースを得たこと、および前記ピアツーピアリソースが有効化されたことについての確認情報をＵＴＲＡＮに送り、一方、移動体端末ＵＥ  ＡおよびＵＥ  Ｂは、レシーバの感度、レシーバの受信電力レベル値などの、ピアツーピアセッションに必要なＵＥ能力情報を、ＵＴＲＡＮ内のノードＢを通して前記ピアツーピア通信における他の対応する移動体端末に送信し、移動体端末ＵＥ  ＡおよびＵＥ  Ｂは、直接通信モードに入る。
【００２３】
次いで、ＵＥ  ＡおよびＵＥ  Ｂは、ピアツーピア接続を確立するが（ステップＳ３２０）、このステップは、特許出願第０３１１９８９５．３号にも詳細に説明されている。移動体端末ＵＥ  ＡおよびＵＥ  Ｂは、直接通信モードに入った後、無線リンク検出の状態に入り、リンク検出が成功すると、移動体端末ＵＥ  ＡおよびＵＥ  Ｂは、ＵＥ  ＡとノードＢの間の制御チャンネル、およびＵＥ  ＢとノードＢとの間の制御チャンネルのそれぞれを通じて、ＵＴＲＡＮ内のノードＢに確認メッセージを送信し、一方で、ＵＥ  ＡとＵＥ Ｂは、チャンネルＰ２Ｐ−ＤＣＨを通じて会話を開始する。
【００２４】
ＵＥ  Ａは、ピアツーピア接続が成功したかどうかを決定する（ステップＳ３３０）。成功した場合、ＵＥ  Ａは、ＵＥ  Ｂとのピアツーピアチャッティングを開始し（ステップＳ３４０）、接続が成功したと検出され、端末ＵＥ  ＡおよびＵＥ  Ｂがピアツーピア通信に入った後、ＵＥ  ＡおよびＵＥ  Ｂは、ピアツーピア通信の処理の間に、ピアツーピア無線リンクを維持するために、ピアツーピア通信リンクの性能を連続的に監視することを、なお必要とする。ピアツーピア接続が不成功である場合、ＵＥ  Ａは、対応するピアツーピアリソースを解放し、自身の状態記録手段１５内のＵＥ  Ｂの状態を更新する（ステップＳ３５０）。
【００２５】
図５は、本発明の一実施形態に係るピアツーピアインスタントメッセージング移動体端末のユーザインターフェイスの概略図である。例えば、前記ユーザインターフェイスは、移動体端末ＵＥ  Ａの表示手段に表示され、前記ユーザインターフェイスは、情報入力ウィンドウ４０５と、第１の情報表示ウィンドウ４０１と、第２の情報表示ウィンドウ４０３とを含む。情報入力ウィンドウ４０５は、ＵＥ  Ａを使用するユーザが、関連する言葉、グラフィック等の情報を入力するように構成されている。第１の情報表示ウィンドウ４０１は、前記ＵＥ  Ａの入力情報、および、ＵＥ  Ａを使用するユーザの、頭部肖像、名前、電話番号等の個人識別情報を表示するために使用される。同様に、第２の情報表示ウィンドウ４０３は、ＵＥ  Ａとインスタントメッセージングを行うＵＥ  Ｂなどの他の移動体端末によって送られた情報、および、ＵＥ  Ｂを使用するユーザの、頭部肖像、名前、電話番号等の個人識別情報を表示するために使用される。
【００２６】
図６は、本発明の他の実施形態に係るピアツーピアインスタントメッセージング移動体端末のユーザインターフェイスの概略図である。例えば、前記ユーザインターフェイスは、移動体端末ＵＥ  Ａの表示手段に表示され、前記ユーザインターフェイスは、情報表示ウィンドウ４１１と、情報入力ウィンドウ４１３と、オンラインユーザリスト表示ウィンドウ４１５と、オフラインユーザリスト表示ウィンドウ４１７とを含む。情報表示ウィンドウ４１１は、インスタントメッセージングに参加している全てのユーザのチャッティング記録を表示するために使用され、情報入力ウィンドウ４１３は、ＵＥ  Ａを使用するユーザが、関連する言葉、グラフィック等の情報を入力するように構成されており、これらの情報は、送信された後、情報表示ウィンドウ４１１に表示される。オンラインユーザリスト表示ウィンドウ４１５は、ＵＥ  Ａの特定ユーザのリスト内の、ＵＥ  Ａとピアツーピア接続を確立可能なオンラインユーザのリストを表示するために使用され、これにより、ＵＥ  Ａは、前記オンラインユーザのリストに従って、ＵＥ  Ｂなどの移動体端末のうちの１つと、ピアツーピア接続を確立することができ、オフラインユーザリスト表示ウィンドウ４１７は、ＵＥ  Ａの特定ユーザのリスト内の全てのオフラインユーザのリストを表示するために使用される。
【００２７】
本発明によって提供されるピアツーピアインスタントメッセージングのための方法および移動体端末は、１ポイント対マルチポイント、およびマルチポイント対マルチポイントのインスタントメッセージングもサポート可能であり、すなわち、移動体端末が、多数の移動体端末と同時にピアツーピアインスタントメッセージングを行うことができる。
【００２８】
当業者は、本発明に開示されるようなピアツーピアインスタントメッセージングのための方法およびその移動体端末に関して、本発明の内容から逸脱することなしに、様々な改善を行うことができることを理解するであろう。よって、本発明の保護の範囲は、添付の特許請求の範囲によって定義される。
【図面の簡単な説明】
【００２９】
【図１】図１は、本発明の一実施形態に係るピアツーピアインスタントメッセージングシステムの適用環境の概略図である。
【図２】図２は、本発明の一実施形態に係るピアツーピアインスタントメッセージング移動体端末の機能のブロック概略図である。
【図３】図３は、本発明の一実施形態に係るピアツーピアインスタントメッセージングの方法におけるユーザ状態の更新のフローチャートである。
【図４】図４は、本発明の一実施形態に係るピアツーピアインスタントメッセージングの方法におけるピアツーピア接続の確立のフローチャートである。
【図５】図５は、本発明の一実施形態に係るピアツーピアインスタントメッセージング移動体端末のユーザインターフェイスの概略図である。
【図６】図６は、本発明の他の実施形態に係るピアツーピアインスタントメッセージング移動体端末のユーザインターフェイスの概略図である。
【００３０】
上述の全ての図面において、同一の参照符号を有することは、同一、類似または対応する特徴・機能を有することを表す。
【図１】
2008526150.tif 000003
【図２】
2008526150.tif 000004
【図３】
2008526150.tif 000005
【図４】
2008526150.tif 000006
【図５】
2008526150.tif 000007
【図６】
2008526150.tif 000008
【国際調査報告】
2008526150.tif 000009
2008526150.tif 000010
2008526150.tif 000011